【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
以下のものよりなる装置：
（ａ）２次元ソリッドステートイメージセンサアレイ、および該２次元ソリッドステートイメージセンサアレイのアクティブな表面上にイメージの焦点を合わせる撮像レンズよりなる撮像アセンブリであって、
該ソリッドステート２次元イメージセンサアレイは、複数のピクセルを持ち、
該２次元ソリッドステートイメージセンサアレイは、該イメージセンサアレイの第１のサブセットのピクセルが、波長選択性のカラーフィルタ要素を持たない単一色ピクセルであり、
該イメージセンサアレイの第２のサブセットのピクセルが、そのおのおのが波長選択性カラーフィルタ要素を持つカラー感受性ピクセルであり、
（ｂ）前記ソリッドステートイメージセンサアレイを収容し、支持する把持可能なハウジング；
（ｃ）前記撮像アセンブリに結合され、前記バーコード復号回路に、画像データを転送するよう構成された第１の回路網；および、
（ｄ）前記撮像アセンブリに結合され、前記ソリッドステートイメージセンサアレイを利用して画像データのビジュアル表示カラーフレームを得るよう構成された第２の回路網。
【請求項２】
請求項１の装置において、前記装置は、さらに、少なくとも１つの光源を含む照明アセンブリを持つ。
【請求項３】
請求項１の装置において、前記把持可能なハウジングは、１つのバーコード復号回路を組み込んでいる。
【請求項４】
請求項１の装置において、前記第１の回路網、および前記第２の回路網は、前記把持可能なハウジングの中に組み入れられている。
【請求項５】
請求項１の装置において、前記装置は、前記把持可能なハウジングから離れて配置されたバーコード復号回路を含む。
【請求項６】
請求項１の装置において、前記複数のピクセルは、選択的にアドレス可能であり、かつ、少なくとも１つの動作モードにある前記バーコード読み取り装置は、前記単一色ピクセルを選択的にアドレスし、かつ、前記単一色ピクセルから画像データを選択的に読み出す。
【請求項７】
請求項１の装置において、前記複数のピクセルは、選択的にアドレス可能であり、かつ、少なくとも１つの動作モードにある前記バーコード読み取り装置は、前記カラー感受性ピクセルを、選択的にアドレスし、かつ、前記カラー感受性ピクセルから、画像データを、選択的に読み出す。
【請求項８】
請求項１の装置において、前記２次元ソリッドステートイメージセンサアレイの前記カラー感受性ピクセルは、間隔を空けて配置されたピクセル位置にある前記２次元ソリッドステートイメージセンサの全体をとおして、均一に、または実質的に均一に分布されている。
【請求項９】
請求項１の装置において、前記イメージセンサアレイは、前記単一色ピクセルを、前記カラー感受性ピクセルが前記画像データ読み取りに露出されている間に、リセットに駆動することができるように構成されている。
【請求項１０】
請求項１の装置において、前記第１のサブセットの前記単一色のピクセルは、前記第２のサブセットの前記カラー感受性ピクセルよりより小さい寸法である。
【請求項１１】
請求項１の装置において、前記第１のサブセットの前記単一色ピクセルは、前記イメージセンサアレイの少なくとも１つの完全な行のピクセルを、拡張する単一色のゾーンのピクセルにおいて形成されている。
【請求項１２】
携帯可能な光学的リーダーであって、以下のものよりなる：
（ａ）２次元ソリッドステートイメージセンサアレイ、および画像を該２次元ソリッドステートイメージセンサアレイのアクティブな表面上に焦点合せする撮像レンズ、を持つ撮像アセンブリであって、前記２次元ソリッドステートイメージセンサアレイは、第１のサブセットの前記複数のピクセルが第１のトランジスタカウントを持ち、第２のサブセットの前記複数のピクセルが第２のトランジスタカウントを持ち、かつ、前記第１のトランジスタカウントが前記第２のトランジスタカウントと異なる；
（ｂ）前記携帯可能な光学式リーダーは、ユーザが選択可能なデコード動作モードと、ユーザが選択可能な撮像動作モードのおのおのにおいて動作可能なように構成されている；
（ｃ）前記光学式リーダーは、前記デコードモードで動作しているとき、前記２次元ソリッドステートイメージセンサアレイを１フレームの画像データを得るよう制御し、かつ、該フレームの画像データを自動的に転送する；
（ｄ）前記光学式リーダーは、前記画像撮像モードにおいて動作するとき、前記２次元ソリッドステートイメージセンサアレイを１つのビジュアルディプレイのカラーフレームの画像データを得るよう制御し、かつ、該フレームの画像データを、ディスプレイデバイス、メモリアドレスロケーション、および、離れて配置されたデバイスよりなるグループから選択された出力宛先に自動的に出力する。
【請求項１３】
デバイスであって、以下のものよりなる：
複数のピクセルを持つ２次元ソリッドステートイメージセンサアレイであって、該２次元ソリッドステートイメージセンサアレイは、前記イメージセンサアレイの第１のセットのピクセルが、カラーフィラメント要素をもたない単一色ピクセルであり、前記イメージセンサアレイの第２のセットのピクセルが、カラー感受性ピクセルであり、そのおのおのが、波長感受性フィルタ要素を含むよう構成された単一色およびカラー感受性のハイブリッドイメージセンサアレイである。
【請求項１４】
指標デコードデバイスに組み入れられた、請求項１３のデバイス。
【請求項１５】
携帯可能なデータ収集装置であって、以下のものよりなる：
（ａ）２次元ソリッドステートイメージセンサアレイ、および、画像を、前記２次元ソリッドステートイメージセンサアレイのアクティブな表面上に焦点合わせする撮像レンズよりなる撮像アセンブリであって、前記２次元ソリッドステートイメージセンサアレイは、複数のピクセルを持ち、前記２次元ソリッドステートイメージセンサアレイは、前記イメージセンサアレイの第１のセットのピクセルが、カラーフィラメント要素をもたない単一色ピクセルであり、前記イメージセンサアレイの第２のセットのピクセルがカラー感受性ピクセルであり、そのおのおのは、波長感受性フィルタ要素を含むよう構成された単一色およびカラー感受性のハイブリッドイメージセンサアレイである；
（ｂ）前記ソリッドステートイメージセンサアレイを収容し、支持する把持可能な、ハウジング；
（ｃ）前記携帯データ収集装置は、ユーザ選択可能な指標デコード動作モード、およびユーザ選択可能な撮像モードのおのおのにおいて動作されるように構成されており；
（ｄ）前記光学式リーダーは、前記指標デコードモード動作が選択され、トリガー信号が受信されたとき、前記ソリッドステートイメージセンサアレイをイメージデータのデコードフレームを得るよう制御し、かつ、前記フレームのイメージデータを、指標デコード回路に自動的に転送する；かつ、
（ｅ）前記光学式リーダーは、前記撮像モードが選択され、トリガー信号が受信されたとき、前記２次元のソリッドステートイメージセンサアレイを１つのビジュアルディプレイのカラーフレームの画像データを得るよう制御し、かつ、前記ビジュアルディプレイのカラーフレームの画像データを自動的に出力する。
【請求項１６】
請求項１５の携帯可能なデータ収集装置であって、前記イメージセンサアレイは、前記単一色ピクセルは、該単一色ピクセルに対応するイメージデータが前記カラー感受性ピクセルに対応するイメージデータと独立して選択的に読み出されるよう、前記カラー感受性ピクセルとは独立して選択的にアドレス可能であるよう構成されている。
【請求項１７】
請求項１５の携帯可能なデータ収集装置であって、前記複数のピクセルは、選択的にアドレス可能であり、かつ、前記光学式リーダーは、前記指標デコードモードにあるとき、前記単一色ピクセルを選択的にアドレスし、かつ、前記単一色ピクセルからイメージデータを選択的に読み出す。
【請求項１８】
請求項１５の携帯可能なデータ収集装置において、前記イメージセンサアレイは、画素の市松模様パターンを含み、かつ、前記カラー感受性の第２のサブセットの画素の該画素は、前記イメージセンサアレイの間隔を空けて配置した位置にあり、かつ、該イメージセンサアレイの全体を通して、均一に、あるいは実質的に均一に分布されている。
【請求項１９】
デバイスであって、以下のものよりなる：
２次元ソリッドステートイメージセンサアレイ、および画像を、該２次元ソリッドステートイメージセンサアレイのアクティブな表面上に焦点合わせする撮像レンズをもつ撮像アセンブリであって、前記２次元ソリッドステートイメージセンサアレイは、複数の画素を持ち、前記２次元ソリッドステートイメージセンサアレイは、第１のサブセットの前記複数の第１のトランジスタカウントを持ち、かつ、第２のサブセットの前記複数のピクセルが、第２のトランジスタカウントを持ち、前記第１のトランジスタカウントは、前記第２のトランジスタカウントと異なる。
【請求項２０】
データ収集装置であって、以下のものよりなる：
（ａ）２次元ソリッドステートイメージセンサアレイ、および画像を、該２次元ソリッドステートイメージセンサアレイのアクティブな表面上に焦点合わせする撮像レンズよりなる撮像アセンブリであって、前記２次元ソリッドステートイメージセンサアレイは、複数のピクセルを持ち、該２次元ソリッドステートイメージセンサアレイは、
該イメージセンサアレイの第１のサブセットのピクセルが、波長選択性のカラーフィルタ要素を持たない単一色ピクセルであり、
該イメージセンサアレイの第２のサブセットのピクセルが、そのおのおのが波長選択性カラーフィルタ要素を持つカラー感受性ピクセルであり；
（ｂ）前記データ収集装置は、該データ収集装置が、前記ソリッドステートイメージセンサアレイをデコードフレームのイメージデータを得るよう制御し、かつ前記フレームのイメージデータを指標デコード回路に転送するモードで動作する。